(57)【要約】【課題】  本発明は、表示素子を備えた表示ユニットを上下に連結するのに好適な連結機構を提供する。【解決手段】  係合溝５１ａを形成した柱状のプラグ５１と、プラグ５１の軸方向に向けて進退可能に構成された筒状のソケット５２１と、このソケット５２１に取着され、プラグ５１の係合溝に係合して、プラグ５１の抜け出しを阻止可能な抜止部材５２２と、ソケット５２１１外側にプラグ５１の軸方向に摺動自在に嵌め込められ、抜止部材５２２をプラグ５１の係合溝５１ａへ係合可能な摺動筒５２３とを具備し、第１のばね部材５２４が抜止部材５２２が係合溝５１ａに係合する方向に摺動筒５２３を常時付勢し、カム機構部５２６のカム５２６１の回転により、摺動筒５２３を第１のばね部材５２４の付勢に抗して移動させて連結を解除するように構成する。【選択図】      図６
2006138469.tif 000002
【特許請求の範囲】
【請求項１】
係合溝を外周に形成した柱状のプラグと、
このプラグに対し、プラグの軸方向に向けて進退可能に構成されて、プラグと嵌合可能な筒状のソケットと、
このソケットに取着され、嵌合した前記プラグの係合溝に係合可能な抜止部材と、
前記ソケットの外側に前記プラグの軸方向に摺動自在に嵌め込められ、前記抜止部材を前記プラグの係合溝へ押し込み可能に形成された摺動筒と、
前記抜止部材を前記係合溝に押し込む方向に前記摺動筒を常時付勢する第１のばね部材と、
カムの回転により、前記摺動筒を前記第１のばね部材の付勢に抗して移動させ、前記抜止部材の前記係合溝との係合を解除可能なカム機構部と
を具備することを特徴とする連結機構。
【請求項２】
前記抜止部材と前記係合溝との係合が保持される位置に向けて前記カムを付勢する第２のばね部材を具備することを特徴とする請求項１に記載の連結機構。
【請求項３】
前記抜止部材と前記係合溝との係合が保持される回転角度位置で前記カムを安定させるノッチ機構を有することを特徴とする請求項１または請求項２に記載の連結機構。
【請求項４】
前記抜止部材は、剛球で構成されたことを特徴とする請求項１ないし請求項３のうちのいずれか１項に記載の連結機構。
【請求項５】
前記カム機構部に着脱自在に取り付けられ、前記カムを回転軸回りに回動可能な治具を付加したことを特徴とする請求項１ないし請求項４のうちのいずれか１項に記載の連結機構。
【請求項６】
前記カム機構部は、前記回転軸の軸方向に鍵穴を形成し、
前記治具は、前記鍵穴への嵌め込み回動により、前記係合溝から前記抜止部材を解放可能に構成されたことを特徴とする請求項５に記載の連結機構。
【請求項７】
多数の表示素子を配列した表示ユニットを、連結具を介して上下に連結された映像表示装置において、
前記連結具に、請求項１ないし請求項６のうちのいずれか１項に記載の連結機構を用いたことを特徴とする映像表示装置。
【請求項８】
前記プラグは前記表示ユニットの上端部に設けられ、前記ソケットは前記表示ユニットの下端部に設けられたことを特徴とする請求項７に記載の映像表示装置。
【請求項９】
前記表示ユニットは、表示素子にＬＥＤ（発光ダイオード）を用いたことを特徴とする請求項７または請求項８に記載の映像表示装置。
【発明の詳細な説明】
【技術分野】
【０００１】
本発明は、表示素子を備えた表示ユニットを、少なくとも上下方向に複数台連結することにより、映像を表示可能な映像表示装置、及びその映像表示装置を構成する表示ユニットの連結に採用して好適な連結機構の改良に関する。
【背景技術】
【０００２】
しばしば目にするように、屋内外の競技場や各種イベント会場、あるいは繁華街等に面した建物の外壁面（ビルボード）等には、ＬＥＤ（発光ダイオード）等の表示素子を多数配置して表示画面（ディスプレイ）を構成した映像表示装置が据え付けられている。  
これら映像表示装置は、競技場やビル等の建造物そのものに恒久的に設置されたり、また各地のイベント会場等で都度組み立て使用されたり、あるいは可搬式に大型車両の荷台に搭載されて使用される。
【０００３】
この種の映像表示装置は、Ｒ（赤）Ｇ（緑）Ｂ（青）の点灯制御により、いわゆるフルカラー表示を行い、宣伝広告の表示や客に対する案内表示、あるいは観客等の視聴者に対するテレビジョン画像の表示が行うものであり、複数台の表示ユニットを連結具及び接続具を介して上下左右に連結接続されて構成される（例えば、特許文献１参照）。
【０００４】
図１７は、その表示ユニットが連結接続されて構成される従来の映像表示装置の要部斜視図、図１８は、その表示ユニット１，１が上下に連結されて構成される従来の映像表示装置を背後から見た要部斜視図である。
【０００５】
図１７及び図１８において、表示ユニット１は、多数の表示素子１１ａをマトリクス状に配列した複数個（図１７では３×４の１２個）の表示パネル１１を箱体状の筐体１２の前面に組み込み配置して構成される。
【０００６】
筐体１２の上面中央には、上に載置される不図示の相手側表示ユニット１と連結するための連結ピン２が、また同じく上面の左右の両端部にはその連結を案内するガイドピン１２１，１２１がそれぞれ植立されている。
【０００７】
連結ピン２は、上部に係止ロッド２ａが横方向に貫通させてＴ字状に構成され、図１８に示したように、上に載置される相手側表示ユニット１内の下端部に取り付けられた係止部３に連結接続される。
【０００８】
表示ユニット１，１を上下に連結して映像表示装置を構成する従来の連結具は、連結ピン２と係止部３とからなる。
【０００９】
図１９は従来の連結具による連結機構を示した要部拡大斜視図である。係止部３のフック３１が連結ピン２の係止ロッド２ａを捕捉し、フック３１に連結されたハンドル３２を上方向に回動させ、フック３１が係止ロッド２ａを捕捉したとき、ストッパ３３が連結をロックするように構成されている。
【００１０】
上記構成の連結機構は、ストッパ３３の下方への押し下げ操作でロック状態を一旦解除し、続くハンドル３２操作により連結解除を行い、上側表示ユニット１を下側表示ユニット１から切り離すことができる。
【００１１】
なお、図１７及び図１８に示したように、左右に隣接する表示ユニット１，１の各対向する側面間には、フック継手を形成した２組の接続具４（４１），４（４２）がそれぞれ嵌脱自在に渡着され、表示ユニット１，１を左右に接続するように構成されている。
【００１２】
図２０（ａ）は従来の映像表示装置の要部正面図を、また図２０（ｂ）はその要部平面図を示したもので、映像表示装置は、上記構成の連結機構及び接続具４による、複数台の表示ユニット１，１の上下左右への連結接続により大型表示画面を形成する。
【００１３】
なお、映像表示装置のように、表示ユニット等のような構造体を上下方向に連結するための連結具とは異なるが、いわゆるホースのようなフレキシブルな管をワンタッチで接続、取り外しを行うホース継手が知られている（例えば、特許文献２参照）。
【特許文献１】特開２００３−３４８４９３号公報
【特許文献２】特開２００１−２５４８８５号公報
【発明の開示】
【発明が解決しようとする課題】
【００１４】
上記のように大型のディスプレイを形成する従来の映像表示装置では、上下には連結具を介して、また左右には接続具を介して、多数台の表示ユニット１，１を上下左右に連結接続して構成される。
【００１５】
一般に、ＬＥＤを表示素子に採用した表示ユニット１台の重量は３０Ｋｇにも達するが、表示ユニットを上下方向に多数連結して大型表示画面を形成するための連結機構は、上記のように、連結ピン２と係止部３とで構成されている。
【００１６】
連結ピン２は表示ユニット１の上端部に設けられ、係止ロッド２ａを横方向に貫通させてＴ字状に構成されている。また、係止部３は、表示ユニット１の下端部に設けられ、フック３１が連結ピン２の係止ロッド２ａを捕捉し、フック３１に連結されたハンドル３２を上方向に回動させ、フック３１が係止ロッド２ａを捕捉した状態でストッパ３３が連結をロックするように構成されている。
【００１７】
上記構成からなる従来の連結機構は、作業員によるハンドル操作で表示ユニットの連結及び連結解除の操作が可能であるが、これらの動作が適正に行われるためには、フック等を高精度に加工製造する必要があるとともに、Ｔ字状の連結ピン２を係止する構造上、部品点数が多くなり、構成の複雑化は避けられないので改善が要望されていた。
【００１８】
そこで本発明は、比較的簡単な構成により、表示ユニット等を上下に連結するのに好適な連結機構、及びその連結機構を採用して上下の表示ユニット間の連結及び連結解除を容易かつ適切に行うことができる映像表示装置を提供することを目的とする。
【課題を解決するための手段】
【００１９】
第１の発明は、連結機構において、係合溝を外周に形成した柱状のプラグと、このプラグに対し、プラグの軸方向に向けて進退可能に構成されて、プラグと嵌合可能な筒状のソケットと、このソケットに取着され、嵌合した前記プラグの係合溝に係合可能な抜止部材と、前記ソケットの外側に前記プラグの軸方向に摺動自在に嵌め込められ、前記抜止部材を前記プラグの係合溝へ押し込み可能に形成された摺動筒と、前記抜止部材を前記係合溝に押し込む方向に前記摺動筒を常時付勢する第１のばね部材と、カムの回転により、前記摺動筒を前記第１のばね部材の付勢に抗して移動させ、前記抜止部材の前記係合溝との係合を解除可能なカム機構部とを具備することを特徴とする。
【００２０】
第２の発明は、多数の表示素子を配列した箱体状の表示ユニットを、連結具を介して上下に連結された映像表示装置において、前記連結具に、上記第１の発明に係る連結機構を用いたことを特徴とする。
【発明の効果】
【００２１】
このように本発明の連結機構、及び映像表示装置によれば、係合溝を外周に形成したプラグと、ソケットの抜止部材を係合溝へ押し込み可能な摺動筒と、抜止部材を係合溝に押し込む方向に摺動筒を常時付勢する第１のばね部材と、カムの回転により、摺動筒を第１のばね部材の付勢に抗して移動させ、抜止部材の係合溝との係合を解除可能なカム機構部とを具備するので、簡単な構成でソケットとプラグとの連結固定をワンタッチで行うことができるとともに、ソケットとプラグとの連結解除、及びソケットとプラグとの連結待機状態をカムの回動操作で容易かつ適切に行いまた設定することができる。
【発明を実施するための最良の形態】
【００２２】
以下、本発明による連結機構を採用した映像表示装置の一実施例を図１ないし図１６を参照して詳細に説明する。なお、図１７ないし図２０に示した従来の構成と同一構成には同一符号を付して、詳細な説明は省略する。
【００２３】
図１は本発明に係る連結機構の一実施例を採用した映像表示装置の要部斜視図で、図２はその映像表示装置を構成した表示ユニットを背後から見た要部斜視図である。
【００２４】
本発明の一実施例に係る映像表示装置の表示ユニット１は、図１及び図２に示したように、４脚を有する櫓（やぐら）状の筐体１２の前面に、多数のＬＥＤ等の表示素子１１ａを配置した複数個（この実施例では１２個）の表示パネル１１が組み込まれて構成されている。
【００２５】
映像表示装置は、従来と同様に、複数台の表示ユニット１，１が上下に連結具を介して連結され、左右には接続具４を介して接続されて構成されるが、この実施例では、表示ユニット１，１の上下の連結具として、表示ユニット１の上部に突設させた柱状のプラグと、同じく表示ユニット１の下端部に組み込み構成したプラグ受け部との組み合わせ構成からなる連結機構を採用している。
【００２６】
一般に、ホースをワンタッチで接続、取り外しを行うことができるいわゆるホース継手が知られているが、この実施例に係るプラグとプラグ受け部との組み合わせ構成からなる連結機構は、そのホース継手の機構構造に、カム機構を組み込んだ新たな構成の連結機構であり、カムの回転軸回りの回動操作により、上下表示ユニット１，１の連結、切り離しを適切に行い得るように構成したものである。
【００２７】
すなわち、図１及び図２に示すように、表示ユニット１における筐体１２の上部（上面）の左右両端部には、連結機構５を構成する円柱状のプラグ５１，５１が対をなして突出するように取り付けられている。
【００２８】
また、表示ユニット１の下端部には、プラグ５１，５１に対応する位置に、プラグ５１，５１に着脱自在に連結され、プラグ５１，５１ともに連結機構５を構成するプラグ受け部５２，５２が組み込み構成されている。
【００２９】
図３は、上下に連結される表示ユニット１，１のうち、下方側表示ユニット１の上端部に設けられたプラグ５１と、これと対応するように位置して、上方側表示ユニット１の下端部に設けられたプラグ受け部５２の拡大斜視図である。
【００３０】
ここで、本実施例の連結機構５の構成と、従来知られているホース継手の構成とを対比すると、機能上、連結機構５のプラグ５１はホース継手の差口に、また連結機構５のプラグ受け部５２は、ホース継手の受口に対応する。
【００３１】
そこで、本実施例の連結機構５において、円柱状のプラグ５１には、外周に周回するように係合溝５１ａが形成されている。
【００３２】
他方のプラグ受け部５２は、その詳細構造を図４以下に示して以下説明するように、ソケット５２１と、剛球で形成された抜止部材５２２と、鍔部を有する摺動筒（スリーブ）５２３と、第１及び第２のばね部材５２４，５２５と、カム機構部５２６等を備え、これらで形成されたプラグ受け機構が箱体状の筐体５２７内に取り付けられて構成されている。
【００３３】
図４は、図３に示したプラグ５１とプラグ受け部５２とからなる連結機構５のＡ−Ａ線から矢印方向を見た要部断面図、図５は図３の同じくＢ−Ｂ線から矢印方向を見た一部切り欠き要部断面図、図６は図５のＣ−Ｃ線から矢印方向を見た一部切り欠き断面図である。
【００３４】
図４ないし図６に示したように、プラグ受け部５２のソケット５２１は、プラグ５１に対し、プラグ５１の軸方向（矢印Ｚ方向）に向けて移動して、プラグ５１に嵌り込むことが可能に筒状に形成されている。
【００３５】
図５及び図６に示したように、抜止部材５２２は、複数個の剛球からなり、各剛球が軸回りに配列されるようにソケット５２１に取着され、ソケット５２１に嵌り込んだプラグ５１の係合溝５１ａに係合して、プラグ５１の抜け出しを阻止できるように構成されている。
【００３６】
摺動筒５２３は、ソケット５２１と同軸でソケット５２１の外側に、プラグ５１の軸方向に摺動自在に形成され、スライドして抜止部材５２２を押し込み、抜止部材５２２をプラグ５１の係合溝５１ａに係合させることができるように構成されている。
【００３７】
第１のばね部材５２４は、ソケット５２１を巻回しつつ、ソケット５２１と摺動筒５２３との間に介挿されるコイルばねで構成され、抜止部材５２２が係合溝５１ａに係合する方向に摺動筒５２３を常時付勢するように組み込まれている。すなわち、第１のばね部材５２４は、ソケット５２１に一体形成された係止部５２１ａと摺動筒５２３との間に介装され、摺動筒５２３が図示下方に移行するように付勢され、抜止部材５２２を押し込むように構成されている。
【００３８】
また、図６に示したように、第２のばね部材５２５は、回転軸Ｌを中心に回動可能に取り付けられたカム機構部５２６をその回動方向に付勢するように構成されている。
【００３９】
すなわち、カム機構部５２６は筐体５２７に固着されたガイド板５２８に案内されて、回転軸Ｌ回りに回動可能に構成され、第２のばね部材５２５は、抜止部材５２２と係合溝５１ａとの係合が保持される角度位置でカム５２６１が安定するように、カム機構部５２６の回転軸Ｌ回りに、筐体５２７に固着されたガイド板５２８とカム５２６１との間に介装されている。
【００４０】
従って、第２のばね部材５２５は、図６に示したカム機構部５２６の回転位置で、カム機構部５２６が安定することができる程度のばね圧力でカム機構部５２６を付勢するように取り付け構成されている。
【００４１】
このように、図６に示した状態では、カム機構部５２６のカム５２６１は、摺動筒５２３を駆動（作用）しない位置状態で安定する。
【００４２】
図７は図６に示した連結機構の要部拡大図である。
【００４３】
図７に示したように、カム機構部５２６は、カム５２６１と、このカム５２６１とはビス５２６１ａにより一体となるように固定されたカム支持板５２６２を有し、カム支持板５２６２を矢印Ｒで示す時計方向に回動させたとき、カム５２６１の回転により、摺動筒５２３を第１のばね部材５２４の付勢に抗して移動させ、抜止部材５２２における係合溝５１ａとの係合を解除することができる。
【００４４】
そこで、上記のように、第２のばね部材５２５の作用により、カム５２６１は摺動筒５２３を駆動（作用）しない位置状態で安定するが、その安定動作をより適切かつ的確なものとすべく、カム５２６１とガイド板５２８との間に、後述するようにノッチ機構５２９が付加構成されている。
【００４５】
そこで、カム機構部５２６を回動操作するために、筐体５２７を貫通するとともに、カム支持板５２６２に共通した鍵穴５２７ａ，５２６２ａが形成されている。
【００４６】
従って、作業員は、鍵穴５２７ａ，５２６２ａに形状が合った突起部６ａを有する治具６を鍵穴５２７ａから鍵穴５２６２ａに差し込み操作することで、カム５２６１を回動させることができる。作業員によるカム５２６１の回動操作により、第１のばね部材５２４に抗して摺動筒５２３を上昇移動させ、これにより、抜止部材５２２を係合溝５１ａから解放せしめ、プラグ５１とプラグ受け部５２との切り離しが可能である。
【００４７】
次ぎに、カム５２６１とガイド板５２８との間に組み込まれたノッチ機構５２９について説明する。
【００４８】
ノッチ機構５２９は、摺動筒５２３が抜止部材５２２を押し込み、抜止部材５２２がプラグ５１の係合溝５１ａにはまり込んだ状態でカム機構部５２６が安定するように構成される。
【００４９】
すなわち、図８は図７のＤ−Ｄ矢視要部断面図で、図９は図７に示した位置でのノッチ機構５２９の要部拡大図で、図１０は図９に示したノッチ機構５２９の分解斜視図である。
【００５０】
図９及び図１０に示したように、ノッチ機構５２９は、底部がカム５２６１の回転面側に嵌め込み固定された有底筒体５２９ａと、この有底筒体５２９ａ内に挿入されたコイルばね部材５２９ｂとこのコイルばね部材５２９ｂに付勢されて開口部から押し出されるように配置されたボール５２９ｃとを有している。
【００５１】
また、ノッチ機構５２９はカム５２６１の回転に伴い回転軸Ｌ回りに回動するが、ノッチ機構５２９のボール５２９ｃがガイド板５２８の面を、位置ずれすることなく弧を描いて円滑かつ適正に回動し得るように、図８及び図９に示したように、ガイド板５２８には半円形状にガイド溝５２８ａが形成されている。
【００５２】
そして、図７及び図９に示したように、ガイド溝５２８ａの下方端部位置には、ボール５２９ｃの一部がはまり込む凹部５２８ａａが形成されている。
【００５３】
従って、図７及び図８に示したように、回動可能なカム機構部５２６の回転角度位置が、カム５２６１に固着されたノッチ機構５２９が凹部５２８ａａに丁度位置しているときに、ボール５２９ｃがその凹部５２８ａａに緩やかに嵌り込み、カム機構部５２６は安定する。
【００５４】
なお、図３ないし図７に示した構成において、プラグ５１はボルト５１ｂにより表示ユニット１の筐体１２に取り付け固定されており、プラグ受け部５２もソケット５２１がボルト５２７ｂにより筐体５２７に取り付け固定されるとともに、筐体５２７は表示ユニット１の底部開口部に溶接等により固着されている。
【００５５】
また、図５及び図６に示したように、プラグ５１がはめ込まれるソケット５２１の底部には、プラグ５１との連結操作が円滑に行われるように、コイルばね５２１ｂに付勢された押さえ筒体５２１ｃが遊挿されるように嵌め込まれている。
【００５６】
また、図６及び図７に示したように、鍔部を有する摺動筒５２３には、カム機構部５２６の反対側（裏側）に、カム５２６１回動操作の際の、摺動筒５２３における進退移動の円滑化のために、摺動筒５２３と筐体５２７との間に、コイルばね機構部５２３１が補助的に取り付け構成されている。
【００５７】
上記構成からなる連結機構５により上下表示ユニット１，１が連結及び切り離しの手順及び動作を、図７に加え、図１１ないし図１６を参照して以下説明する。
【００５８】
図７に示した状態は、ノッチ機構５２９の作用も加わり、下表示ユニット１のプラグ５１に上表示ユニット１のプラグ受け部５２が嵌め込まれて連結されて安定している。  
図７に示した状態において、治具６をカム機構部５２６の鍵穴５２６２ａに（矢印Ｙ方向に）挿入し、カム５２６１を第２のばね部材５２５のばね力に抗して時計回り（矢印Ｒ方向）に回動させる。
【００５９】
治具６により、カム５２６１を時計回りに１８０度回動させることにより、偏心したカム５２６１は、図１１及び図１２に示すように、摺動筒５２３を上方（矢印ｚ方向）に押上げる。上方に押し上げられた摺動筒５２３は、内周面に形成されているリング状の凹み部５２３ａが抜止部材５２２に対向し、摺動筒５２３による抜止部材５２２の押し込み操作は解除される。これにより、抜止部材５２２は、プラグ５１の係合溝５１ａへの係合が解除される外周方向へ移動可能となる。
【００６０】
従って、上方側表示ユニット１の矢印Ｚ方向への引き上げにより、図１２及び図１３に示すように、プラグ受け部５２をプラグ５１から切り離すことができる。プラグ５１がプラグ受け部５２から切り離される際に、抜止部材５２２はソケット５２１の外周方向へ移動し、摺動筒５２３の凹み部５２３ａに入り込む。
【００６１】
また、プラグ５１がプラグ受け部５２から切り離されることに伴い、コイルばね５２１ｂに付勢された押さえ筒体５２１ｃが下方へ摺動し、図１４に示すように、押さえ筒体５２１ｃの外周面が抜止部材５２２に対向する。これにより、抜止部材５２２はソケット５２１の内周方向へ移動することが阻止され、摺動筒５２３の凹み部５２３ａに入り込んだ状態に維持される。
【００６２】
カム５２６１が摺動筒５２３を上方へ押し上げている状態では、図１４に示したように、治具６は、突起部６ａが下方に向いており、筐体５２７に係止して抜け出ることはない。
【００６３】
次ぎに、治具６を反時計方向に１８０度回転させると、図１５及び図１６に示したように、カム５２６１はもとの位置（図７に示した位置）に戻り安定する。また、押さえ筒体５２１ｃによって抜止部材５２２がソケット５２１の内周方向へ移動することが阻止されているので、抜止部材５２２は摺動筒５２３の凹み部５２３ａに入り込んだ状態に維持される。このため、カム５２６１がもとの位置に戻っても、摺動筒５２３は上方へ押し上げられた位置で保持される。
【００６４】
従って、図１５及び図１６に示したように、治具６を矢印Ｙ方向に引き抜いた状態では、プラグ５１をプラグ受け部５２にワンタッチで嵌め込むことが可能となる。プラグ５１をプラグ受け部５２に嵌め込んだ際には、プラグ５１の先端部が押さえ筒体５２１ｃに当接し、プラグ５１は押さえ筒体５２１ｃを押し上げながらプラグ受け部５２に入り込み、係合溝５１ａが抜止部材５２２に対向する。
【００６５】
係合溝５１ａが抜止部材５２２に対向する位置までプラグ５１が入り込むと、抜止部材５２２が係合溝５１ａ内に移動可能となる。これにより、第１のばね部材５２４に付勢されている摺動筒５２３が下方へ押し下げられ、下方へ押し下げられる摺動筒５２３によって抜止部材５２２が係合溝５１ａに押し込まれ、プラグ５１とプラグ受け部５２とが図６に示すような連結状態となる。
【００６６】
以上説明のように、上記構成のプラグ５１及びプラグ受け部５２からなる連結機構５によれば、連結及び必要に応じた切り離し操作を、簡単な構成で適切かつ容易に行うことができる。
【００６７】
従って、上記連結機構を上端部及び下端部にそれぞれ対をなすように表示ユニット１に２カ所（複数カ所）に組み込み、複数台のその表示ユニット１，１を上下方向に連結した映像表示装置では、下表示ユニットのプラグに対応する上表示ユニットのプラグ受け部を位置合わせして重ね合わせるだけで、格別ガイドピンを別途取り付けるまでもなく、容易かつ適切に連結できるものであり、映像表示装置の組み立ての効率化を実現することができる。
【００６８】
なお、上記説明の実施例において、プラグ５１は円柱状であるものとして説明したが、要するにプラグ受け部５２におけるソケット５２１との嵌め込み連結が可能な機能を有すれば良いので、たとえば四角柱等の角柱状とし、ソケット５２１や摺動筒５２３をそのプラグの形状に合わせて構成するようにしても良い。
【００６９】
また、上記実施例では、振動等によるカム機構部５２６の回転ずれを防ぎ回動動作の安定化及び適正化のため、また治具６によるカム機構部５２６に対する適正操作を担保するために、第２のばね部材５２５及びノッチ機構５２９をそれぞれ付加するように構成したが、要するにカム機構部５２６が１８０度の回動角度位置でそれぞれ安定すれば良いので、たとえば第２のバネ部材５２５に代えて、凹部５２８ａａを上下に１８０度異にして設けるようにしても良い。
【００７０】
また、本実施例の連結機構によれば、治具６による操作によってのみ連結の切り離し操作が可能であるので、いたずら等により連結切り離しが行われるのを防ぐことができるとともに、治具６が挿入されていない状態では、常にプラク５１とプラグ受け部５２とは、連結可能状態にあるので、作業員は連結操作を間違いなく行うことができる。
【図面の簡単な説明】
【００７１】
【図１】本発明に係る連結機構の一実施例を採用した映像表示装置の要部斜視図である。
【図２】図１に示した映像表示装置を構成する表示ユニットを背後から見た要部斜視図である。
【図３】図１に示したプラグとプラグ受け部を示した拡大斜視図である。
【図４】図３に示したプラグ受け部のＡ−Ａ矢視要部断面図である。
【図５】図３に示したプラグ受け部のＢ−Ｂ矢視要部断面図である。
【図６】図５に示したプラグ受け部のＣ−Ｃ矢視要部断面図である。
【図７】図６に示したプラグ受け部の要部拡大図である。
【図８】図７に示したプラグ受け部のＤ−Ｄ矢視断面図である。
【図９】図７に示したノッチ機構の要部拡大図である。
【図１０】図７に示したノッチ機構の分解斜視図である。
【図１１】プラグとプラグ受け部との連結解除のために治具を鍵穴に差し込んだ状態を示した断面図である。
【図１２】図７に示したプラグ受け部で、カム機構部を回動させた状態を示した要部拡大図である。
【図１３】図１２に示したプラグ受け部のＥ−Ｅ矢視断面図である。
【図１４】プラグをプラグ受け部から抜き取った状態を示した断面図である。
【図１５】図１２に示したプラグ受け部で、カム機構部を反転回動させた状態を示した要部拡大図である。
【図１６】治具を抜き取った後も摺動筒が上方に押し上げられた位置で保持される状態を示した断面図である。
【図１７】従来の映像表示装置の要部斜視図である。
【図１８】図１７に示した表示ユニットを背後から見た要部斜視図である。
【図１９】図１７に示した表示ユニットの要部拡大図である。
【図２０】（ａ）は映像表示装置の要部正面図、（ｂ）は映像表示装置の要部平面図である。
【符号の説明】
【００７２】
１  表示ユニット
１１  表示パネル
１１ａ  の表示素子
１２  筐体
１２１  ガイドピン
２  連結ピン
２ａ  係止ロッド
３  係止部
４  接続具
５  連結機構
５１  プラグ
５１ａ  係合溝
５２  プラグ受け部
５２１  ソケット
５２２  抜止部材
５２３  摺動筒（スリーブ）
５２４  第１のばね部材
５２５  第２のばね部材
５２６  カム機構部
５２６１  カム
５２８  ガイド板
５２９  ノッチ機構
５２７  筐体
６  治具
Ｌ  回転軸
【図１】
2006138469.tif 000003
【図２】
2006138469.tif 000004
【図３】
2006138469.tif 000005
【図４】
2006138469.tif 000006
【図５】
2006138469.tif 000007
【図６】
2006138469.tif 000008
【図７】
2006138469.tif 000009
【図８】
2006138469.tif 000010
【図９】
2006138469.tif 000011
【図１０】
2006138469.tif 000012
【図１１】
2006138469.tif 000013
【図１２】
2006138469.tif 000014
【図１３】
2006138469.tif 000015
【図１４】
2006138469.tif 000016
【図１５】
2006138469.tif 000017
【図１６】
2006138469.tif 000018
【図１７】
2006138469.tif 000019
【図１８】
2006138469.tif 000020
【図１９】
2006138469.tif 000021
【図２０】
2006138469.tif 000022